(57)【要約】【課題】床面上にタイルを設置し、このタイルの周縁部に段差解消部材を設置した構造において、タイル上を歩行する歩行者がつまづくおそれがないタイルの設置構造と、このタイルの設置構造を採用したトイレルームとを提供する。【解決手段】段差解消部材１０は、縦断面形状が略三角形であり、下面が床面３に重なり、上面が斜面となっている本体部１１と、該本体部１１の上部から張り出し、タイル１の斜面１ａに重なる上片部１２と、本体部１１の下部から張り出し、タイル１の裏面の周縁部に重なる下片部１３と、本体部１１の底面に設けられた浅溝よりなる凹条部１４とを有している。本体部１１の側面１５と、タイル１の側面とが接着剤２０によって接着される。また、凹条部１４と床面３とが両面粘着テープ２１によって付着される。【選択図】図１
2012132237.tif 000002
【特許請求の範囲】
【請求項１】
裏打ち材が裏面に付着されたタイルを床面上に設置した構造において、
該裏打ち材の周縁部は該タイルの周縁部から後退しており、
該タイルの上面の周縁部は、該タイルの縁部に向って下り勾配の斜面となっており、
該タイルを取り囲むように床面上に段差解消部材が配置されており、
該段差解消部材は、該タイルの周囲に配置された本体部と、該本体部から該タイルの該斜面の上側に張り出した上片部と、該本体部からタイル裏面に張り出した下片部とを有しており、
該本体部の上面は、該タイルから離隔するほど低位となる斜面となっており、
該上片部は、該タイルの周縁部よりも中央側の上面と面一か又はそれよりも低位となっていることを特徴とするタイルの設置構造。
【請求項２】
請求項１において、前記段差解消部材の前記上片部と下片部との間の側面は、前記タイルの端面から離隔しており、段差解消部材の該側面とタイルの該端面とが接着剤によって接着されていることを特徴とするタイルの設置構造。
【請求項３】
請求項１又は２において、該本体部の底面に凹条部が設けられており、該凹条部と床面とが両面テープによって付着されていることを特徴とするタイルの設置構造。
【請求項４】
トイレルームの床面に請求項１ないし３のいずれか１項のタイルの設置構造によって１枚のタイル及び該タイルを取り囲む段差解消部材が設置されており、
該タイル上に便器が設置されていることを特徴とするトイレルーム。
【発明の詳細な説明】
【技術分野】
【０００１】
本発明は、タイルを床面に設置した構造と、この構造を採用したトイレルームとに関する。
【背景技術】
【０００２】
板状の床仕上げ材の周縁部に縁取りレール（縁条片）を装着した構造が特許文献１（特開２０１０−１７４６１４）に記載されている。この縁取りレールの上面は、床仕上げ材から離隔するほど低位となる傾斜面となっている。この縁取りレールは、上面側のカバー脚片と下面側のベース脚片とを有したＶ字形断面形状のものである。
【０００３】
該カバー脚片が床仕上げ材の周縁部の上面に重なり、ベース脚片が床仕上げ材の周縁部の裏面に重なり、該カバー脚片とベース脚片とによって床仕上げ材の周縁部を挟み付けることにより縁取りレールが床仕上げ材に連結される。
【先行技術文献】
【特許文献】
【０００４】
【特許文献１】特開２０１０−１７４６１４
【発明の概要】
【発明が解決しようとする課題】
【０００５】
上記特許文献１では、縁取りレールのカバー脚片が、その厚み分だけ床仕上げ材の上面よりも盛り上っている。そのため、床仕上げ材上を歩行する歩行者が該カバー脚片につまづくおそれがある。
【０００６】
本発明は、床面上にタイルを設置し、このタイルの周縁部に段差解消部材を設置した構造において、タイル上を歩行する歩行者がつまづくおそれがないタイルの設置構造と、このタイルの設置構造を採用したトイレルームとを提供することを目的とする。
【課題を解決するための手段】
【０００７】
請求項１のタイルの設置構造は、裏打ち材が裏面に付着されたタイルを床面上に設置した構造において、該裏打ち材の周縁部は該タイルの周縁部から後退しており、該タイルの上面の周縁部は、該タイルの縁部に向って下り勾配の斜面となっており、該タイルを取り囲むように床面上に段差解消部材が配置されており、該段差解消部材は、該タイルの周囲に配置された本体部と、該本体部から該タイルの該斜面の上側に張り出した上片部と、該本体部からタイル裏面に張り出した下片部とを有しており、該本体部の上面は、該タイルから離隔するほど低位となる斜面となっており、該上片部は、該タイルの周縁部よりも中央側の上面と面一か又はそれよりも低位となっていることを特徴とするものである。
【０００８】
請求項２のタイルの設置構造は、請求項１において、前記段差解消部材の前記上片部と下片部との間の側面は、前記タイルの端面から離隔しており、段差解消部材の該側面とタイルの該端面とが接着剤によって付着されていることを特徴とするものである。
【０００９】
請求項３のタイルの設置構造は、請求項１又は２において、該本体部の底面に凹条部が設けられており、該凹条部と床面とが両面テープによって付着されていることを特徴とするものである。
【００１０】
請求項４のトイレルームは、トイレルームの床面に請求項１ないし３のいずれか１項のタイルの設置構造によって１枚のタイル及び該タイルを取り囲む段差解消部材が設置されており、該タイル上に便器が設置されていることを特徴とするものである。
【発明の効果】
【００１１】
本発明のタイルの設置構造及びトイレルームでは、段差解消部材の上片部がタイル周縁部の上面に重なっているが、このタイル上面の周縁部は外方に向って下り勾配となる斜面となっており、該上片部は該斜面に重なり、該周縁部よりも中央側のタイル上面と面一か又はそれよりも低位となっている。そのため、タイル中央側からタイル側方に歩行する歩行者が上片部につまづくことがない。
【００１２】
請求項２の構造によれば、接着剤によって段差解消部材とタイルとがしっかりと接着される。
【図面の簡単な説明】
【００１３】
【図１】実施の形態に係るタイルの設置構造を示す断面図である。
【図２】段差解消部材の斜視図である。
【図３】実施の形態に係るトイレルームにおけるタイルの設置構造を説明する斜視図である。
【発明を実施するための形態】
【００１４】
以下、図面を参照して実施の形態について説明する。
【００１５】
図１に示す通り、タイル１の裏面に裏打ち材２が貼着されている。タイル１は長辺が４００〜１８００ｍｍ、特に６００〜１１００ｍｍであり、短辺が３００〜９００ｍｍ、特に４００〜６００ｍｍ、厚みが３〜９ｍｍ、特に４〜５ｍｍ程度の長方形状の施釉された陶磁器製である。タイル１の周縁部の上面は、外方に向って下り勾配の斜面１ａとなっている。この斜面１ａの幅Ｗは、１〜１０ｍｍ、特に２〜４ｍｍ程度が好適であり、傾斜角度θは８〜５６°、特に２０〜３７°程度が好適である。
【００１６】
裏打ち材２は、ガルバリウム鋼板、ステンレス鋼板、アルミ板などの金属板のほか、合板、珪カル板、セメント板、ハニカム板、合成樹脂板などの薄板や、樹脂ネットなども用いることができる。この裏打ち材２の周縁部は厚さは０．１〜５ｍｍ、特に０．２〜０．５ｍｍ程度が好ましい。この裏打ち材２の周縁部は、タイル１の周縁部から所定距離ｄだけタイル１の中央側に後退している。この距離ｄは１〜１５ｍｍ、特に５〜１０ｍｍ程度が好適である。ｄはＷとほぼ等しいことが好ましく、Ｗとｄの差は５ｍｍ以下、特に３ｍｍ以下程度であることが好ましい。
【００１７】
この裏打ち材２は、接着剤、粘着剤、両面テープなどによってタイル１の裏面に貼り付けられている。
【００１８】
この裏打ち材２付きのタイル１を床面３上に設置し、このタイル１の周縁部に段差解消部材１０を装着する。なお、段差解消部材１０を予めタイル１に装着しておき、段差解消部材１０付きのタイル１を床面３上に設置してもよい。
【００１９】
段差解消部材１０は、縦断面形状が略三角形であり、下面が床面３に重なり、上面が斜面となっている本体部１１と、該本体部１１の上部から張り出し、タイル１の斜面１ａに重なる上片部１２と、本体部１１の下部から張り出し、タイル１の裏面の周縁部に重なる下片部１３と、本体部１１の底面に設けられた浅溝よりなる凹条部１４とを有している。
【００２０】
本体部１１の底面を水平な床面に当てた状態において、本体部１１の上面の傾斜角度は８〜５６°特に２０〜３７°程度が好適である。また、この状態において、上片部１２の上面は水平であることが好ましいが、張り出し方向先端側（タイル１の中央側）ほど上位となるように若干傾斜していてもよい。
【００２１】
段差解消部材１０の材料としては、合成樹脂、ゴム、アルミ、真鍮などが好適である。
【００２２】
上片部１２と下片部１３との間における本体部１１の側面１５と、タイル１の側面（端面）とが接着剤２０によって接着される。また、凹条部１４と床面３とが両面粘着テープ２１によって付着される。
【００２３】
タイル１を床面３上に設置し、タイル１の周縁部に段差解消部材１０を装着した状態において、上片部１２の上面は斜面１ａよりも中央側のタイル１の上面１ｂと面一か、それよりも下位となっている。このため、タイル１上を歩く歩行者が段差解消部材１０につまづくことがない。
【００２４】
この実施の形態では、段差解消部材１０の側面１５がタイル１の側面から若干離隔しており、この側面同士の間に接着剤２０が存在しているので、接着剤２０を十分な量だけ介在させ、段差解消部材１０とタイル１とをしっかりと接着することができる。
【００２５】
また、接着剤２０を側面１５に付着させておき、段差解消部材１０をタイル１の周縁部に嵌合させるようにして側面１５とタイル１の側面とを接着することができる。この場合、接着剤２０は上片部１２と下片部１３との間の側面１５に付着されるので、接着剤２０が垂れたりすることがなく、作業効率が良い。
【００２６】
段差解消部材１０は両面粘着テープ２１によって床面３に貼り付けられているので、ずれ動くことがなく、また、床面３から容易に剥してリフォームすることができる。
【００２７】
この両面粘着テープ２１が凹条部１４に配置されているので、両面粘着テープ２１の厚みで段差解消部材１０が床面３から浮くことが防止され、段差解消部材１０を床面に密着させることができる。これにより、見栄えがよくなると共に段差解消部材１０と床面３との間にゴミや水が入り込むことが防止される。
【００２８】
このタイルの設置構造を採用したトイレルームの構成例を図３に示す。図３の場合、排水接続用の開口１ｃのほか、便器固定用ボルト又はビスの挿通孔（図示略）をタイル１に予め設けておく。裏打ち材２付きのタイル１を床面３上に設置し、タイル１の周縁部に段差解消部材１０を装着する。なお、前述の通り、段差解消部材１０を先にタイル１に装着しておいてもよい。その後、このタイル１上に洋風便器３０を載置し、ボルト又はビスによって床に固定する。
【００２９】
このトイレルームにあっては、便器３０が１枚のタイル１の上に載っているので、便器周囲の清掃が容易である。また、タイル目地が存在せず目地に汚れが付着することもない。
【００３０】
上記実施の形態では、タイル１の全周縁部に段差解消部材１０を装着しているが、人が通過する辺にのみ段差解消部材１０を装着してもよい。
【００３１】
本発明では、段差解消部材１０に抗菌剤を含有させたり、段差解消部材１０の上面に抗菌剤を付着させてもよい。
【符号の説明】
【００３２】
１  タイル
２  裏打ち材
３  床面
１０  段差解消部材
１１  本体部
１２  上片部
１３  下片部
１４  凹条部
１５  側面
２０  接着剤
２１  両面粘着テープ
【図１】
2012132237.tif 000003
【図２】
2012132237.tif 000004
【図３】
2012132237.tif 000005